(57)【特許請求の範囲】
【請求項１】
台部と、該台部の四隅に取付けられている脚部とからなり、該脚部は外筒と、該外筒に内挿されている内筒とから構成されることによって伸縮して高さ調節可能とされており、該脚部の下端には固定のための吸盤が取付けられ、該吸盤の端部には紐またはチェインの一端が結合され、該紐またはチェインの他端は該脚部の伸縮の度合に対応して、該台部に配置されている複数個の係合部のいづれかに係合されることを特徴とする浴槽台
【請求項２】
該係合部は該台部底面に内側から外側に向けて複数個配置されている請求項１に記載の浴槽台
【請求項３】
台部と、該台部の四隅に取付けられている脚部とからなり、該脚部は外筒と、該外筒に内挿されている内筒とから構成されることによって伸縮して高さ調節可能とされており、該脚部の下端には固定のための吸盤が取付けられ、該吸盤の端部には紐またはチェインの一端が結合され、更に該台部からも紐またはチェインが差出され、該吸盤側の紐またはチェインと該台部側の紐またはチェインは複数個の係合部を有する係合部材を介して結合されていることを特徴とする浴槽台
【請求項４】
該脚部の内筒は外筒に摺動可能に内挿され、該内筒には一個または複数個の挿入孔が縦に列設され、それに対応して該外筒には複数個または一個のピン孔が縦に列設され、該外筒と該内筒との選択された挿入孔とピン孔にピンを挿入することによって該脚部の高さが調節され、該ピンは切欠環状のホルダーと該ホルダー内側から差出されるピン本体とからなる請求項１〜３に記載の浴槽台
【請求項５】
該台部は箱型下部と蓋型上部とからなり、該箱型下部底面の所定箇所にはボルト孔が設けられ、該蓋型上部の天面からはナット筒が垂設され、該箱型下部の上側に該蓋型上部を被着し、該箱型下部の底面ボルト孔からはボルト部材を挿入して該蓋型上部のナット筒に該ボルトを螺着することによって該蓋型上部が該箱型下部に着脱可能に取付けられている請求項１〜４に記載の浴槽台
【請求項６】
該台部上面にはクリップ孔が設けられ、滑り止めシートの下面から垂設されているクリップを該台部上面のクリップ孔に挿着することによって、該台部上面に該滑り止めシートと着脱可能に取付けた請求項１〜５に記載の浴槽台
【発明の詳細な説明】
【０００１】
【発明の属する技術分野】
本発明は浴槽台に関するものである。
【０００２】
【従来の技術】
図１３に示すように浴槽台(41)は台部(42)と脚部(43)とからなるが、該浴槽台(41)が滑動しないように、該脚部(43)の下端には吸盤(44)が取付けられている。しかし吸盤(44)が床に吸いつくとはがしにくゝなるので、従来は例えば吸盤(44)の一端と台部(42)とをチェイン(45)等で結び、該チェイン(45)を引張ることによって、該吸盤(44)の一端をめくり上げ、吸盤(44)内に空気を入れることによってはがし易くする。
【０００３】
【発明が解決しようとする課題】
使用者の体形によって浴槽台の脚部を伸縮させて高さを調節出来るような浴槽台が提供されている。このような浴槽台では吸盤と台部とをチェインで結んだ時、チェインが短いと脚部を伸ばした時追従出来なくなってしまうが、チェインを長くすると脚部を縮めた時にチェインが大きくたるんでしまい邪魔になる。
【０００４】
【課題を解決するための手段】
本発明は上記従来の課題を解決するための手段として、台部(2) と、該台部(2) の四隅に取付けられている脚部(3) とからなり、該脚部(3) は外筒(12)と、該外筒(12)に内挿されている内筒(13)とから構成されることによって伸縮して高さ調節可能とされており、該脚部(3) の下端には固定のための吸盤(14)が取付けられ、該吸盤(14)の端部には紐またはチェイン(29)の一端が結合され、該紐またはチェイン(29)の他端は該脚部(3) の伸縮の度合に対応して、該台部(2) に配置されている複数個の係合部(11A,11B,11C,11D) のいづれかに係合される浴槽台(1) を提供するものである。
該係合部(11A,11B,11C,11D) は該台部(2) 底面に内側から外側に向けて複数個配置されていることが望ましい。
【０００５】
更に台部(2) と、該台部(2) の四隅に取付けられている脚部(3) とからなり、該脚部(3) は外筒(12)と、該外筒(12)に内挿されている内筒(13)とから構成されることによって伸縮して高さ調節可能とされており、該脚部(3) の下端には固定のための吸盤(14)が取付けられ、該吸盤(14)の端部には紐またはチェイン(29B) の一端が結合され、更に該台部(2) からも紐またはチェイン(29A) が差出され、該吸盤(14)側の紐またはチェイン(29B) と該台部(2) 側の紐またはチェイン(29A) は複数個の係合部(38A,38B,38C,38D) を有する係合部材(37)を介して結合されている浴槽台(1) を提供するものである。
【０００６】
更に該脚部(3) の内筒(13)は外筒(12)に摺動可能に内挿され、該内筒(13)には一個または複数個の挿入孔(15A,15B,15C,15D) が縦に列設され、それに対応して該外筒(12)には複数個または一個のピン孔(16)が縦に列設され、該外筒(12)と該内筒(13)との選択された挿入孔(15)とピン孔(16)にピン(24)を挿入することによって該脚部(3) の高さが調節され、該ピン(24)は切欠環状のホルダー(25)と該ホルダー(25)内側から差出されるピン本体(26)とからなることが好ましい。
【０００７】
更に該台部(2) は箱型下部(4) と蓋型上部(5) とからなり、該箱型下部(4) 底面の所定箇所にはボルト孔(6) が設けられ、該蓋型上部(5) の天面からはナット筒(31)が垂設され、該箱型下部(4) の上側に該蓋型上部(5) を被着し、該箱型下部(4) の底面ボルト孔(6) からはボルト部材(32)を挿入して該蓋型上部(5) のナット筒(31)に該ボルト(32)を螺着することによって該蓋型上部(5) が該箱型下部(4) に着脱可能に取付けられていることが好ましい。また更に該台部(2) 上面にはクリップ孔(35)が設けられ、滑り止めシート(33)の下面から垂設されているクリップ(36)を該台部(2) 上面のクリップ孔(35)に挿着することによって該台部(2) 上面に該滑り止めシート(33)と着脱可能に取付けることが好ましい。
【０００８】
【作用】
請求項１の構成では、脚部(3) を伸ばして浴槽台(1) を高くした時には、それに対応して紐またはチェイン(29)の他端を係合部(11A,11B,11C,11D) のうちの一つに係合する。脚部(3) を縮めて浴槽台(1) を低くした時には、それに対応して紐またはチェイン(29)の他端を係合部(11A,11B,11C,11D) のうちの他の一つに係合する。このようにして浴槽台(1) を高くした場合でも紐またはチェイン(29)が追従出来、また浴槽台(1) を低くした場合には紐またはチェイン(29)が大きくたるまない。
請求項３の構成では、台部側チェイン(29A) または紐と吸盤側チェイン(29B) または紐とを該係合部材(37)を介して結合するが脚部(3) の伸縮に対応させて該係合部材(37)の係合部(38A,38B,38C,38D) のうちの一つを選択する。
【０００９】
【発明の実施の形態】
本発明を図１〜図１１に示す一実施例によって説明する。
浴槽台(1) は台部(2) と該台部(2) の四隅に取付けられている脚部(3) とからなる。
図２に示すように、該台部(2) は箱型下部(4) と、該箱型下部(4) 上に被着される蓋型上部(5) とからなり、該箱型下部(4) の底面には４個のボルト孔(6) が設けられ、また所定箇所にはリブ(7) が差渡されている。更に図３に示すように箱型下部(4) の底下面の長手方向両端部には、後記するチェイン(29,29) を引張る吸盤オープナー(8) が上方へスライド可能に取付けられている。該吸盤オープナー(8) は図４に示すように箱型下部(4) の底面の孔に懸架されている。
該オープナー(8) のガイドボックス(8A)の下面両端部と内面とにガイド孔(9,10)が設けられている。更に該箱型下部(4) の底面中央部左右には長手方向にそって係合部である各四個のフック(11A,11B,11C,11D) が配列されている。
【００１０】
図６に示すように前記四本の脚部(3) は外筒(12)と該外筒(12)に下側から内挿される内筒(13)とからなり、該内筒(13)の下端には吸盤(14)が取付けられている。更に該内筒(13)には上下に四個のピン孔(15A,15B,15C,15D) が設けられている。更に該内筒(13)の外周には上下にガイド溝(17)が設けられている。
該外筒(12)の下端部には一個のピン孔(16)が設けられ、その下側にはねじ溝(18)が設けられており、更に下端からスリット(19)の複数条が設けられてチャック状となっており、また該外筒(12)の内周には上下にガイド突条(12A) が設けられている。
【００１１】
図７に示すように吸盤(14)の上側には外筒体(20)が立設されており、その内側には外周に複数条の摩擦リブ(21)が設けられたボス(22)が立設されている。一方内筒(13)の下端部には支盤(23)が張設されており、該支盤(23)から下側に吸盤取付け筒(23A) が差渡されている。
該内筒(13)の取付け筒(23A) には吸盤(14)のボス(22)を嵌着する。このようにして該吸盤(14)は内筒(13)の下端に取付けられ、該ボス(22)の摩擦リブ(21)の摩擦力によって固定される。該内筒(13)は該内筒(13)のガイド溝(17)を外筒(12)のガイド突条(12A) に沿わせて外筒(12)に内挿され、挿入孔であるピン孔(15A,15B,15C,15D) のうち一つを選び（例えばピン孔(15B) ）、該ピン孔(15B) を外筒(12)のピン孔(16)に合わせ、図８に示すようにピン(24)を挿入する。該ピン(24)は切欠環状のホルダー(25)と、該ホルダー(25)の内側から差出されるピン本体(26)とからなり、該ピン本体(26)をピン孔(15B,16)に挿入し該ホルダー(25)を切欠部(25A) を介して外筒(12)に嵌めることによって該ピン(24)を外筒(12)に固定する。なお、該外筒(12)の下端部ねじ溝(18)には締付けリング(27)が螺着されており、該締付けリング(27)を締付けることにより、該内筒(13)と該外筒(12)とのがたつきを解消する。該締付けリング(27)の内周下端にはねじ山(28)が形成されており、該ねじ山(28)を該外筒(12)のねじ溝(18)に螺合することによって締付けリング(27)を該外筒(12)の下端部ねじ溝(18)に螺着する。
【００１２】
各吸盤(14)の内端にはチェイン(29)の一端が結合され、図３、図５に示すように該チェイン(29)は吸盤オープナー(8) のガイド孔(9,10)に貫通ガイドされる。そして左右において一対の吸盤(14)のチェイン(29)の他端は図９に示すように係合リング(30)によって連結されている。
そして該内筒(13)のピン孔(15A) を選んだ時（脚部(3) 最大伸長状態）には該チェイン(29)の係合リング(30)は箱型下部(4) のフック(11A) に係合され、ピン孔(15B) を選んだ時には該係合リング(30)はフック(11B) に係合され、ピン孔(15C) を選んだ時には該係合リング(30)はフック(11C) に係合され、ピン孔(15D) を選んだ時（最縮小状態）には該係合リング(30)はフック(11D) に係合される。図３、図５にはピン孔(15B) を選び係合リング(30)をフック(11B) に係合した状態が示されている。このようにして脚部(3) は四段階で高さを調節することが出来、各段階で該チェイン(29)はゆるみ過ぎあるいは張り過ぎないように調節される。
【００１３】
前記したように台部(2) は箱型下部(4) と蓋型上部(5) とからなるが、該蓋型上部(5) の天面からは四個のナット筒(31)が差出され、図２に示すように該蓋型上部(5) を該箱型下部(4) 上に被着し、該箱型下部(4) の各ボルト孔(6) からボルト部材(32)を挿入して該蓋型上部(5) の各ナット筒(31)にそれぞれ螺着することによって、該蓋型上部(5) は該箱型下部(4) に着脱可能に取付けられる。
【００１４】
更に図１０に示すように蓋型上部(5) の上面には滑り止めシート(33)を取付けるための凹部(34)が設けられており、該凹部(34)の底面には八個のクリップ孔(35)が設けられている。一方滑り止めシート(33)の下面には八個のクリップ(36)が設けられ、該クリップ(36)を該蓋型上部(5) のクリップ孔(35)に挿着することによって、該滑り止めシート(33)は該蓋型上部(5) の上面に着脱可能に取付けられる。
【００１５】
上記浴槽台(1) にあっては床Ｆに置いた状態では図１１に示すように吸盤オープナー(8) を矢印方向（上方）に手で押上げると、チェイン(29)を介して左右の吸盤(14,14) の端部がめくれ上り、吸盤(14)内に空気が入って吸盤(14)は容易に床Ｆから剥がれる。したがって台部(2) のフック(11A,11B,11C,11D) の位置は、それぞれに対応する脚部(3) の伸縮度において、吸盤オープナー(8) によってチェイン(29)が引上げられる程度に張った状態になるような位置に設定されている。
【００１６】
図１２には本発明の他の実施例が示される。この実施例では吸盤オープナー(8) から台部側チェイン(29A) を差出し、吸盤(14)からは吸盤側チェイン(29B) を差出し、該台部側チェイン(29A) に取付けた係合部材(37)に該吸盤側チェイン(29B) の先端を係合する。即ち該係合部材(37)には四個の係合部である係合孔(38A,38B,38C,38D) が設けられ、脚部(3) の伸縮状態に合わせて該係合孔の１つを選び、該吸盤側チェイン(29B) の先端フック(39)を係合する。
【００１７】
上記実施例以外、複数個の係合部は一列に配列されてもよく、例えば千鳥状に配列されてもよい。係合部は台部底面以外側面に配置されてもよい。
【００１８】
本発明の浴槽台は例えば合成樹脂を材料とし、吸盤(14)や滑り止めシート(33)はゴムまたはエラストマーを材料とする。
【００１９】
【発明の効果】
本発明では脚部の伸縮度即ち浴槽台の高さに対応して吸盤を引張る紐あるいはチェインを適当な張った状態におくことが出来る。
【図面の簡単な説明】
図１〜図１１は本発明の一実施例を示すものである。
【図１】上側斜視図
【図２】台部分解斜視図
【図３】下側斜視図
【図４】吸盤オープナー取付説明図
【図５】裏面図
【図６】脚部分解斜視図
【図７】脚部下部切欠説明図
【図８】外筒、内筒をピンで止めた状態の部分断面図
【図９】チェイン係合リング図
【図１０】台部蓋型上部分解斜視図
【図１１】吸盤オープナー押上げ状態正面図
【図１２】他の実施例の説明図
【図１３】従来例の説明図
【符号の説明】
1                 浴槽台
2                 台部
3                 脚部
4                 箱型下部
5                 蓋型上部
6                 ボルト孔
11A,11B,11C,11D   フック（係合部）
12                外筒
13                内筒
14                吸盤
15                係合部
15A,15B,15C,15D   ピン孔（挿入孔）
16                ピン孔
24                ピン
25                ホルダー
26                ピン本体
29,29A,29B        チェイン
31                ナット筒
32                ボルト部材
33                滑り止めシート
35                クリップ孔
36                クリップ
37                係合部材
38A,38B,38C,38D   係合孔（係合部）
【図１】
0003764381.tif 000002
【図２】
0003764381.tif 000003
【図３】
0003764381.tif 000004
【図４】
0003764381.tif 000005
【図５】
0003764381.tif 000006
【図６】
0003764381.tif 000007
【図７】
0003764381.tif 000008
【図８】
0003764381.tif 000009
【図９】
0003764381.tif 000010
【図１０】
0003764381.tif 000011
【図１１】
0003764381.tif 000012
【図１２】
0003764381.tif 000013
【図１３】
0003764381.tif 000014